(57)【特許請求の範囲】
【請求項１】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側の左右両側に保持部が設けられると共に該保持部間をなす固定片部には、その長さ方向に、前記壁面で突設されるアンカーボルトを挿通させる挿通孔が所要間隔を置いて貫設されており、
又前記カバー部材は、その左右の保持片が、前記漏水受板の側縁部分を嵌入状態となし得る保持溝を前記左右の保持部との間で形成すると共に、該左右の保持片間をなす取付片部には、前記アンカーボルトを挿通させる挿通孔が設けられていることを特徴とする構造物の漏水部に取り付けられる漏水受樋装置。
【請求項２】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側の左右両側に保持部が設けられると共に該保持部間をなす固定片部には、その長さ方向に、前記壁面で突設されるアンカーボルトを挿通させる挿通孔が所要間隔を置いて貫設されており、
又前記カバー部材は、その左右の保持片が、前記漏水受板の側縁部分を嵌入状態となし得る保持溝を前記左右の保持部との間で形成すると共に、該左右の保持片間をなす取付片部には、前記アンカーボルトを挿通させる挿通孔が設けられ、該取付片部と前記固定片部との間に、前記アンカーボルトに螺合し締め付けられた第１のナットを収容させる収容空間が形成され如くなされており、又前記取付片部を挿通したアンカーボルトに第２のナットが螺合可能となされ、前記第１のナットの締め付けによって前記ベース部材を前記壁面に固定できると共に、前記第２のナットの締め付けによって前記カバー部材を前記ベース部材に固定可能となされていることを特徴とする構造物の漏水部に取り付けられる漏水受樋装置。
【請求項３】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側の左右に、中空状をなす保持部が設けられ、該保持部間の収容溝の底部をなす固定片部には、その長さ方向に、前記壁面で突設されるアンカーボルトを挿通させる挿通孔が所要間隔を置いて貫設されており、
又前記カバー部材は、前記収容溝に嵌め入れられる中空状をなす取付片部の左右に、前記漏水受板の側縁部分を嵌入状態となし得る保持溝を前記保持部との間で形成する保持片が設けられ、該中空状をなす取付片部の底部には、前記アンカーボルトを挿通させる挿通孔が設けられ、該底部と前記固定片部との間に、前記アンカーボルトに螺合し締め付けられた第１のナットを収容する収容空間が形成される如くなされ、又前記中空状をなす取付片部には、前記アンカーボルトに螺合する第２のナットを収容するための収容部が設けられ、該取付片部の頂部に設けた開口を通して該第２のナットの螺合及び締め付けを行うことができ、前記第１のナットの締め付けによって前記ベース部材を前記壁面に固定できると共に、前記第２のナットの締め付けによって前記カバー部材を前記ベース部材に固定可能となされていることを特徴とする構造物の漏水部に取り付けられる漏水受樋装置。
【請求項４】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側に一つの保持部が設けられると共に該保持部に連設された固定片部には、その長さ方向に、前記壁面で突設されるアンカーボルトを挿通させる挿通孔が所要間隔を置いて貫設されており、
又前記カバー部材は、前記漏水受板の側縁部分を嵌入状態となし得る保持溝を前記保持部との間で形成する保持片を具え、該保持片に設けられた取付片部には、前記アンカーボルトを挿通させる挿通孔が設けられていることを特徴とする構造物の漏水部に取り付けられる漏水受樋装置。
【請求項５】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側に一つの保持部が設けられると共に該保持部に連設された固定片部には、その長さ方向に、前記壁面で突設されるアンカーボルトを挿通させる挿通孔が所要間隔を置いて貫設されており、
又前記カバー部材は、前記漏水受板の側縁部分を嵌入状態となし得る保持溝を前記保持部との間で形成する保持片を具え、該保持片に設けられた取付片部には、前記アンカーボルトを挿通させる挿通孔が設けられ、該取付片部と前記固定片部との間に、前記アンカーボルトに螺合し締め付けられた第１のナットを収容させる収容空間が形成される如くなされており、又前記取付片部を挿通したアンカーボルトに第２のナットを螺合可能となされ、前記第１のナットの締め付けによって前記ベース部材を前記壁面に固定できると共に、前記第２のナットの締め付けによって前記カバー部材を前記ベース部材に固定可能となされていることを特徴とする構造物の漏水部に取り付けられる漏水受樋装置。
【請求項６】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側の左右両側に保持部が設けられると共に該保持部間をなす固定片部には、その長さ方向に、前記壁面で間隔を置いて突設される第１のアンカーボルト及び第２のアンカーボルトを挿通させる挿通孔が所要間隔を置いて貫設されており、
又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とする構造物の漏水部に取り付けられる漏水受樋装置。
【請求項７】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側に一つの保持部が設けられると共に該保持部に連設された固定片部には、その長さ方向に、前記壁面で間隔を置いて突設される第１のアンカーボルト及び第２のアンカーボルトを挿通させる挿通孔が所要間隔を置いて貫設されており、
又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とする構造物の漏水部に取り付けられる漏水受樋装置。
【請求項８】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側の左右両側に保持部が設けられると共に該保持部間をなす固定片部には、その長さ方向に、前記壁部に間隔を置いて埋設されたインサートに螺合して前記壁面で突設される、ボルト頭を有した第１のアンカーボルト及び、ボルト頭を有した第２のアンカーボルトを挿通させる挿通孔が所要間隔を置いて貫設されており、
又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とする構造物の漏水部に取り付けられる漏水受樋装置。
【請求項９】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側に一つの保持部が設けられると共に該保持部に連設された固定片部には、その長さ方向に、前記壁部に間隔を置いて埋設されたインサートに螺合して前記壁面で突設される、ボルト頭を有した第１のアンカーボルト及び、ボルト頭を有した第２のアンカーボルトを挿通させる挿通孔が所要間隔を置いて貫設されており、
又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とする構造物の漏水部に取り付けられる漏水受樋装置。
【請求項１０】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側の左右両側に保持部が設けられると共に該保持部間をなす固定片部には、その長さ方向に、前記壁面で突設される第１のアンカーボルト及び、前記壁部に埋設されたインサートに螺合して前記壁面で突設される第２のアンカーボルトを挿通させる挿通孔が所要間隔を置いて貫設されており、
又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とする構造物の漏水部に取り付けられる漏水受樋装置。
【請求項１１】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側に一つの保持部が設けられると共に該保持部に連設された固定片部には、その長さ方向に、前記壁面で突設される第１のアンカーボルト及び、前記壁部に埋設されたインサートに螺合して前記壁面で突設される第２のアンカーボルトを挿通させる挿通孔が所要間隔を置いて貫設されており、
又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とする構造物の漏水部に取り付けられる漏水受樋装置。
【請求項１２】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側の左右両側に保持部が設けられると共に該保持部間をなす固定片部には、その長さ方向に、前記壁部に埋設されたインサートに螺合して前記壁面で突設される、ボルト頭を有した第１のアンカーボルト及び、前記壁面で突設される第２のアンカーボルトを挿通させる挿通孔が所要間隔を置いて貫設されており、
又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とする構造物の漏水部に取り付けられる漏水受樋装置。
【請求項１３】
構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、
前記ベース部材は、その表面側に一つの保持部が設けられると共に該保持部に連設された固定片部には、その長さ方向に、前記壁部に埋設されたインサートに螺合して前記壁面で突設される、ボルト頭を有した第１のアンカーボルト及び、前記壁面で突設される第２のアンカーボルトを挿通させる挿通孔が所要間隔を置いて貫設されており、
又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とする構造物の漏水部に取り付けられる漏水受樋装置。
【請求項１４】
前記収容溝の内側面と前記中空状をなす取付片部の外側面の間に、前記漏水受板の側縁に突設した係合突部を嵌め入れる係合空所が形成される如くなされていることを特徴とする請求項３記載の構造物の漏水部に取り付けられる漏水受樋装置。
【請求項１５】
前記ベース部材に設けられた保持部の先端部分は、該先端部分に当てがわれた漏水受板の側縁部分を該先端部分にビス固定するためのビス保持部を有することを特徴とする請求項１〜１４のいずれかに記載の構造物の漏水部に取り付けられる漏水受樋装置。
【請求項１６】
前記第２のナットを締め付ける前は、前記カバー部材の取付片部が、螺締状態にある第１のナットから離れた状態となるように構成されていることを特徴とする請求項１〜５記載の構造物の漏水部に取り付けられる漏水受樋装置。
【発明の詳細な説明】
【０００１】
【発明の属する技術分野】
本発明は、ずい道や地下道等の構造物における漏水部に取り付けられて漏水を導水処理する漏水受樋装置に関するものである。
【０００２】
【従来の技術】
コンクリートその他の材料でライニングされたずい道や地下道等で、外圧によって内壁面に亀裂が入ることにより、或いは、ライニングの接合個所の施工が不十分であったりコンクリートの伸縮によって該接合個所に隙間ができることにより、ずい道等の内面から水漏れが生ずることがある。このような場合、従来は、亀裂部位や隙間部位にモルタルの吹付施工を施し、又は、水漏れ部分の内面に溝を掘り込んで盲排水溝を設けることによって処理し、或いは、内壁面に樋を張りつけて漏水を導水処理する等の方法が採用されている。このような工法は水漏れ部位が明確で、集中して水漏れのある場合は有効であるが、ずい道等の内面に広範囲に亘り水漏れが点在する場合や、全面的に漏水するような場合の、ずい道等の内面からの水漏れ処理には余り有効でない。
【０００３】
このような問題点を解決する手段の一つとして、実開昭６１−１２１３００号公報が開示する漏水受樋装置が提案されている。
【０００４】
該漏水受樋装置は、図５３に示すように、構造物の壁面ａに所要間隔をおいて平行状態に固定される連結部材ｂと、その幅方向の両側に設けられた挿入溝ｃに端縁部分ｄが挿入される漏水受板ｅとを具える。該連結部材ｂは、その長手中央部分において、前記壁面ａに打ち込まれたアンカーボルトｇとこれに螺合するナットｈとを用いて該壁面ａに固定される。この際、必要に応じ、該連結部材ｂの一面の幅方向両端部分に止水片ｆ，ｆを付設し、前記ナットｈの締め付けによって該止水片ｆ，ｆを壁面に弾性押圧状態とし、その部分の止水を確実化することも行われていた。そして、隣り合う連結部材ｂ，ｂの対向する挿入溝ｃ，ｃに、漏水受板ｅの両端縁部分ｄ，ｄを挿入し、該漏水受板ｅと構造物の壁面ａとの間で導水路ｋを形成するものであった。
【０００５】
かかる漏水受樋構造においては、前記壁面の亀裂発生状態や剥落状態を点検したり、遊離石灰や壁面の剥落片等による導水路の詰まり状態等を点検する目的で、壁面状態が悪い箇所において、漏水受板の所要部位に点検口を設けることが行われていた。
【０００６】
前記点検の結果、遊離石灰等が詰まって導水機能が劣化していることが判明したときや、限られた点検口での点検だけでは不十分であって比較的広い範囲を点検する必要が生じたときは、前記漏水受板ｅを広範囲で取り外すと共に、植設されていたアンカーボルを除去して所要の補修を行い、その後、復旧工事を必要とした。このような施工は、通常、前記ナットｈを取り外して連結部材ｂや漏水受板ｅを壁面ａから撤去し、所要の補修等を行って後、各連結部材を、所要に位置決めして壁面に固定し、且つ漏水受板の側縁部分を挿入溝に挿入状態としなければならない等、大掛かりなものとなった。
【０００７】
【特許文献１】
実開昭６１−１２１３００号公報（第２−３頁、第２図）
【０００８】
【発明が解決しようとする課題】
従来の漏水受樋装置による場合にその施工が大掛かりとなった大きな原因は、前記点検や補修のために前記連結部材ｂを完全に取り外さざるを得ず、その後、各連結部材を所要に位置決めして壁面に固定し直さなければならず、その施工に多くの手間と時間を要したからであった。
【０００９】
特に、前記連結部材ｂに止水片ｆ，ｆを付設するときは、連結部材ｂを完全に取り外してしまうと、復旧工事に際してこれを再使用せんとしても、前記止水片ｆは、壁面から分離されたことにより、壁面に対する当接面に剥離物が付着していたり該当接面に凹凸の癖がついていること等によって、止水性能の面で劣化している。そのため該止水片を再使用した場合は、当初の止水性能は期待できず止水が不完全となることから、特別の止水工事を追加する必要が生じた。これを避けるために、取り外した連結部材の止水片を交換することも一部で行われていたが、これは非常に手間の掛かる面倒な作業となり、施工が一層大掛りなものとなった。
【００１０】
従来の施工にはかかる大きな問題点があったことから、広範囲に亘る導水路の点検が必要なときも、点検口を開いて行なう部分的な点検や、漏水受板の一部分を取り外して行なう部分的点検に止まらざるを得ず、漏水受樋構造は、十分に点検されないまま放置されることも多く、その結果導水路は、遊離石灰や剥落片等で詰まって導水効率が悪いまま放置されやすかった。
【００１１】
本発明は、かかる問題点に鑑みて開発されたものであり、漏水部の点検や補修に伴う施工の能率化と施工コストの低減を達成せしめると共に、メンテナンスの容易化によって確実な漏水処理を永続的に達成せしめる、構造物の漏水部に取り付けられる漏水受樋装置の提供を課題とするものである。
【００１２】
【課題を解決するための手段】
前記課題を解決するため、本発明は以下の手段を採用する。
即ち本発明に係る構造物の漏水部に取り付けられる漏水受樋装置（以下漏水受樋装置という）の第１のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側の左右両側に保持部が設けられると共に該保持部間をなす固定片部には、その長さ方向に、前記壁面で突設されるアンカーボルトを挿通させる挿通孔が所要間隔を置いて貫設されている。又前記カバー部材は、その左右の保持片が、前記漏水受板の側縁部分を嵌入状態となし得る保持溝を前記左右の保持部との間で形成すると共に、該左右の保持片間をなす取付片部には、前記アンカーボルトを挿通させる挿通孔が設けられていることを特徴とするものである。
【００１３】
該第１のタイプのより具体的な態様は、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側の左右両側に保持部が設けられると共に該保持部間をなす固定片部には、その長さ方向に、前記壁面で突設されるアンカーボルトを挿通させる挿通孔が所要間隔を置いて貫設されている。又前記カバー部材は、その左右の保持片が、前記漏水受板の側縁部分を嵌入状態となし得る保持溝を前記左右の保持部との間で形成すると共に、該左右の保持片間をなす取付片部には、前記アンカーボルトを挿通させる挿通孔が設けられ、該取付片部と前記固定片部との間に、前記アンカーボルトに螺合し締め付けられた第１のナットを収容させる収容空間が形成され如くなされており、又前記取付片部を挿通したアンカーボルトに第２のナットが螺合可能となされ、前記第１のナットの締め付けによって前記ベース部材を前記壁面に固定できると共に、前記第２のナットの締め付けによって前記カバー部材を前記ベース部材に固定可能となされていることを特徴とするものである。
【００１４】
前記第１のタイプのより具体的な他の態様は、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側の左右に、中空状をなす保持部が設けられ、該保持部間の収容溝の底部をなす固定片部には、その長さ方向に、前記壁面で突設されるアンカーボルトを挿通させる挿通孔が所要間隔を置いて貫設されている。又前記カバー部材は、前記収容溝に嵌め入れられる中空状をなす取付片部の左右に、前記漏水受板の側縁部分を嵌入状態となし得る保持溝を前記保持部との間で形成する保持片が設けられ、該中空状をなす取付片部の底部には、前記アンカーボルトを挿通させる挿通孔が設けられ、該底部と前記固定片部との間に、前記アンカーボルトに螺合し締め付けられた第１のナットを収容する収容空間が形成される如くなされている。又前記中空状をなす取付片部には、前記アンカーボルトに螺合する第２のナットを収容するための収容部が設けられ、該取付片部の頂部に設けた開口を通して該第２のナットの螺合及び締め付けを行うことができ、前記第１のナットの締め付けによって前記ベース部材を前記壁面に固定できると共に、前記第２のナットの締め付けによって前記カバー部材を前記ベース部材に固定可能となされていることを特徴とするものである。
【００１５】
本発明に係る漏水受樋装置の第２のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側に一つの保持部が設けられると共に該保持部に連設された固定片部には、その長さ方向に、前記壁面で突設されるアンカーボルトを挿通させる挿通孔が所要間隔を置いて貫設されている。又前記カバー部材は、前記漏水受板の側縁部分を嵌入状態となし得る保持溝を前記保持部との間で形成する保持片を具え、該保持片に設けられた取付片部には、前記アンカーボルトを挿通させる挿通孔が設けられていることを特徴とするものである。
【００１６】
又前記第２のタイプのより具体的な態様は、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側に一つの保持部が設けられると共に該保持部に連設された固定片部には、その長さ方向に、前記壁面で突設されるアンカーボルトを挿通させる挿通孔が所要間隔を置いて貫設されている。又前記カバー部材は、前記漏水受板の側縁部分を嵌入状態となし得る保持溝を前記保持部との間で形成する保持片を具え、該保持片に設けられた取付片部には、前記アンカーボルトを挿通させる挿通孔が設けられ、該取付片部と前記固定片部との間に、前記アンカーボルトに螺合し締め付けられた第１のナットを収容させる収容空間が形成される如くなされており、又前記取付片部を挿通したアンカーボルトに第２のナットを螺合可能となされ、前記第１のナットの締め付けによって前記ベース部材を前記壁面に固定できると共に、前記第２のナットの締め付けによって前記カバー部材を前記ベース部材に固定可能となされていることを特徴とするものである。
【００１７】
本発明に係る漏水受樋装置の第３のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側の左右両側に保持部が設けられると共に該保持部間をなす固定片部には、その長さ方向に、前記壁面で間隔を置いて突設される第１のアンカーボルト及び第２のアンカーボルトを挿通させる挿通孔が所要間隔を置いて貫設されている。又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とするものである。
【００１８】
本発明に係る漏水受樋装置の第４のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側に一つの保持部が設けられると共に該保持部に連設された固定片部には、その長さ方向に、前記壁面で間隔を置いて突設される第１のアンカーボルト及び第２のアンカーボルトを挿通させる挿通孔が所要間隔を置いて貫設されている。又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とするものである。
【００１９】
本発明に係る漏水受樋装置の第５のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側の左右両側に保持部が設けられると共に該保持部間をなす固定片部には、その長さ方向に、前記壁部に間隔を置いて埋設されたインサートに螺合して前記壁面で突設される、ボルト頭を有した第１のアンカーボルト及び、ボルト頭を有した第２のアンカーボルトを挿通させる挿通孔が所要間隔を置いて貫設されている。又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とするものである。
【００２０】
本発明に係る漏水受樋装置の第６のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側に一つの保持部が設けられると共に該保持部に連設された固定片部には、その長さ方向に、前記壁部に間隔を置いて埋設されたインサートに螺合して前記壁面で突設される、ボルト頭を有した第１のアンカーボルト及び、ボルト頭を有した第２のアンカーボルトを挿通させる挿通孔が所要間隔を置いて貫設されている。又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とするものである。
【００２１】
本発明に係る漏水受樋装置の第７のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側の左右両側に保持部が設けられると共に該保持部間をなす固定片部には、その長さ方向に、前記壁面で突設される第１のアンカーボルト及び、前記壁部に埋設されたインサートに螺合して前記壁面で突設される第２のアンカーボルトを挿通させる挿通孔が所要間隔を置いて貫設されている。又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とするものである。
【００２２】
本発明に係る漏水受樋装置の第８のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側に一つの保持部が設けられると共に該保持部に連設された固定片部には、その長さ方向に、前記壁面で突設される第１のアンカーボルト及び、前記壁部に埋設されたインサートに螺合して前記壁面で突設される第２のアンカーボルトを挿通させる挿通孔が所要間隔を置いて貫設されている。又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とするものである。
【００２３】
本発明に係る漏水受樋装置の第９のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側の左右両側に保持部が設けられると共に該保持部間をなす固定片部には、その長さ方向に、前記壁部に埋設されたインサートに螺合して前記壁面で突設される、ボルト頭を有した第１のアンカーボルト及び、前記壁面で突設される第２のアンカーボルトを挿通させる挿通孔が所要間隔を置いて貫設されている。又前記カバー部材は、左右の保持片が、前記漏水受板の側縁部分を嵌入状態となし得る保持溝を前記左右の保持部との間で形成するものとなされ、該左右の保持片間をなす取付片部には、前記第２のアンカーボルトを挿通させる挿通孔が設けられていることを特徴とするものである。
【００２４】
本発明に係る漏水受樋装置の第１０のタイプは、構造物のコンクリート壁部の漏水部からの漏水を受ける漏水受板と、コンクリート壁面に固定されるベース部材と、該ベース部材に固定され且つ該ベース部材と協働して前記漏水受板の側縁部分を保持するカバー部材とを具え、前記ベース部材は、その表面側に一つの保持部が設けられると共に該保持部に連設された固定片部には、その長さ方向に、前記壁部に埋設されたインサートに螺合して前記壁面で突設される、ボルト頭を有した第１のアンカーボルト及び、前記壁面で突設される第２のアンカーボルトを挿通させる挿通孔が所要間隔を置いて貫設されている。又前記カバー部材は、前記漏水受板の側縁部分を嵌入状態となし得る保持溝を前記保持部との間で形成する保持片を具え、該保持片に設けられた取付片部には、前記第２のアンカーボルトを挿通させる挿通孔が設けられていることを特徴とするものである。
【００２５】
取付片部が中空状をなす前記漏水受樋装置において、前記収容溝の内側面と前記中空状をなす取付片部の外側面の間に、前記漏水受板の側縁に突設した係合突部を嵌め入れる係合空所を形成するのがよい。
【００２６】
前記各漏水受樋装置において、前記ベース部材に設けられた保持部の先端部分は、該先端部分に当てがわれた漏水受板の側縁部分を該先端部分にビス固定するためのビス保持部を有するものとして構成するのがよい。
【００２７】
前記第１タイプ、第２タイプにおいて、前記第２のナットを締め付ける前は、前記カバー部材の取付片部が、螺締状態にある第１のナットから離れた状態となるように構成するのがよい。
【００２８】
【発明の実施の形態】
以下、本発明の実施の形態を図面に基づいて説明する。
図１〜４において本発明に係る漏水受樋装置１は、コンクリート構造物（例えばずい道２ａ）２のコンクリート壁面３に設けられて漏水を導水処理するものである。そして、該壁面３との間で導水路４を形成する例えば硬質合成樹脂製の平板状をなし且つその両側縁部分の裏面側に帯状止水ゴム等からなる弾性止水片５（図４）が付設されなる漏水受板６を、前記壁面３に固定されるベース部材７と、該ベース部材７に固定されるカバー部材９との協働によって順次連結して図２〜４に示す漏水受樋構造Ａを構成するものである。
【００２９】
前記ベース部材７は、図４〜５に示すように、全体が例えば硬質合成樹脂を以って一体に形成されており、ずい道２ａの壁面３、例えば、アーチ状面３ａ（図１）と垂直状面３ｂ（図１）に沿って長く形成され且つ固定具１０を用いて該壁面３に固定される、比較的厚肉のベース基板１１の表面側の左右に、角筒状の保持部１２，１２が設けられている。そして該左右の保持部１２，１２間に、前記カバー部材９に突設されてなる後述の取付片部１３を納めるための収容溝１５が形成されている。
【００３０】
又前記ベース基板１１の裏面側の左右には、前記壁面３に弾性押圧状態となる止水部材１６を付設するための溝状凹部１７，１７が、該ベース基板１１の両外縁と中央部両側に突設した対向する挾持片１９，２０、１９，２０によって形成されている。前記止水部材１６は、前記壁面３に弾性押圧状態となって有効な止水作用を発揮するものであれば各種に構成され得るが、本実施の形態においては前記溝状凹部１７に嵌着される、比較的硬質のスポンジ状合成ゴムからなる断面矩形の台座片２１の先端面に、比較的軟質のスポンジ状合成ゴム弾性体等からなる止水突片２２を一体に設けてなる。
【００３１】
又前記保持部１２，１２間をなす固定片部１８には、その長手中央線に沿って所要間隔で、例えば５０ｃｍ間隔で、前記壁面３で突設されたアンカーボルト２３を挿通させる挿通孔２５が貫設されている。
【００３２】
又前記カバー部材９は、図４〜５に示すように、例えば全体が硬質合成樹脂を以って一体に形成されており、前記ベース部材７の幅寸法に略等しい幅寸法を有した平板状をなすカバー基板２６の裏面の長手中央線に沿って、前記収容溝１５に先側部分１３ａが嵌め入れられる中空状（本実施の形態においては角筒状）をなす取付片部１３が突設されており、該取付片部１３の左右に存する部分は、前記左右の保持部１２，１２との間で前記漏水受板６の側縁部分２７，２７を嵌入状態となし得る保持溝２９，２９を形成する保持片３０，３０とされている。なお該保持溝２９の溝幅は、例えば４〜５ｍｍ程度に設定される。又該角筒状をなす取付片部１３の底部３１には、前記アンカーボルト２３を挿通させる挿通孔３２が貫設されると共に、該取付片部１３の頂部３３には、前記挿通孔３２と同心に、例えば円形状の開口３５が設けられている。
【００３３】
そして、前記固定片部１８と前記底部３１との間に、前記ベース部材７を前記壁面３に固定するために前記アンカーボルト２３のネジ軸部３６に螺合せしめられる第１のナット３７を収容させる収容空間３４が形成されている。なお該第１のナット３７は、前記アンカーボルト２３との協働によって前記固定具１０を構成する。且つ角筒状をなす前記取付片部１３は、内部空間としての収容部３８を有し、該収容部３８内には、突出したアンカーボルトのネジ軸部分３９に螺合する第２のナット４０が収容せしめられる。
【００３４】
なお本実施の形態においては、該ネジ軸部分３９の全体が前記収容部３８に納まる。又該第２のナット４０の螺合及び締め付けは、前記開口３５を通して行い得る。
【００３５】
なお、前記ベース部材７やカバー部材９は、その全長が例えば４ｍに設定されており、施工においては適宜、その端部相互を溶接等の公知手段を用いて接合する。
【００３６】
かかる構成を有するベース部材７とカバー部材９とからなる連結具４２を用いて漏水受板６を順次連結することにより図２〜３に示す漏水受樋構造Ａを構成できる。その要領の一例を、図６〜１２によって、端部に位置する第１の連結具４２ａと、それに隣り合う第２の連結具４２ｂとで第１の漏水受板６ａを保持せしめ、該第２の連結具４２ｂとそれに隣り合う第３の連結具４２ｃとで第２の漏水受板６ｂを保持させる場合について説明すれば次のようである。
【００３７】
先ず図６に示すように、第１の連結具４２ａを構成するベース部材７ａと第２の連結具４２ｂを構成するベース部材７ｂに関し、相互間の間隔をゲージで所要に設定して、両者７ａ，７ｂの裏面側を壁面３に当接させ、この状態を作業者が保持する。このように保持しつつ、該ベース部材７ａ，７ｂに設けられた挿通孔２５を通して壁面３にドリルで削孔し、形成された削孔にアンカーボルト２３を挿入しこれを壁面３に打ち込む。その後図７に示すように、前記挿通孔２５を挿通して突出状態にあるネジ軸部３６に第１のナット３７を螺合し締め付けて両ベース部材７ａ，７ｂを壁面３に固定する。該第１のナット３７の締め付けは、不陸のある壁面３に前記止水突片２２が密接して止水が確保されるように、例えば、当初は１０ｍｍ程度の厚さを有していた前記止水突片２２が、例えば２〜３ｍｍ程度の弾性圧縮状態となるように行なう。
【００３８】
その後図８に示すように、第１の漏水受板６ａの左右の側縁部分２７，２７に付設された弾性止水片５，５を、前記左右のベース部材７ａ，７ｂの対向する保持部１２，１２の先端面４３，４３に当接させ、且つ前記カバー部材９の取付片部１３の先側部分１３ａを、前記アンカーボルトのネジ軸部３６を前記挿通孔２５（図５）に挿通せしめて、前記ベース部材７ａ，７ｂの夫々の収容溝１５に嵌め入れる。この状態で、図９に示すように、前記第１の連結具４２ａに関しては、前記開口３５を通して、該取付片部１３内に突出したアンカーボルトのネジ軸部分３９に第２のナット４０を螺合し締め付ける。これにより側縁部分２７は、前記弾性止水片５が弾性圧縮されて前記保持溝２９に嵌入状態となされる。
【００３９】
なお本実施の形態においては、該第２のナット４０を締め付ける前は、図８に示すように、カバー部材９の取付片部１３が、螺締状態にある前記第１のナット３７から離れた状態とされているため、該第２のナット４０を締め付けたときに、カバー部材９の有する保持片３０が、保持溝２９に嵌入状態にある前記側縁部分２７を保持部１２に向けて確実に押圧状態となし得、これにより、前記弾性止水片５の弾性圧縮を容易且つ確実とし、該側縁部分２７を、水密を確保して保持させやすい。
【００４０】
一方、前記第２の連結具４２ｂに関しては、図９の左側に示すように、前記開口３５を通して、該取付片部１３内に突出したアンカーボルトのネジ軸部分３９に第２のナット４０を緩く螺合させ、これにより、左側の保持部１２と、同じく左側の保持片３０との間に、漏水受板の側縁部分２７を遊挿させ得る保持溝２９を形成する。
【００４１】
その後図１０に示すように、前記第３の連結具４２ｃを構成するベース部材７ｃと、前記第２の連結具４２ｂに係るベース部材７ｂとの間の間隔をゲージで所要に設定し、その裏面側を壁面３に当接させ、この状態を作業者が保持する。このように保持しつつ、ベース部材７ｃに設けられた挿通孔２５を通して壁面３にドリルで削孔し、形成された削孔にアンカーボルト２３を挿入しこれを壁面３に打ち込む。その後図１０の左側に示すように、前記挿通孔２５を挿通して突出状態にあるネジ軸部３６に第１のナット３７を螺合して締め付け、該ベース部材７ｃを壁面３に固定する。
【００４２】
その後図１１の右側に示すように、第２の漏水受板６ｂの右側の側縁部分２７ａを前記第２の連結具４２ｂが形成する左側の保持溝２９（図９の左側に示す）に遊挿すると共に、その左側の側縁部分２７ｂを前記第３の連結具４２ｃを構成するベース部材７ｃの右側の保持部１２の先端面４３に当接させる。
【００４３】
然る後図１１の左側に示すように、第３の連結具４２ｃに係るカバー部材９の取付片部１３の先側部分１３ａを、前記アンカーボルトのネジ軸部３６を前記挿通孔３２（図５）に挿通せしめて、前記ベース部材７ｃの収容溝１５に嵌め入れる。この状態で、前記第２の連結具４２ｂに関しては、図１２の右側に示すように、前記第２のナット４０を締め付ける。これにより前記と同様、右側の側縁部分２７ａは、前記弾性止水片５が弾性圧縮されて前記保持溝２９に嵌入状態となされる。一方、前記第３の連結具４２ｃに関しては、図１２の左側に示すように、前記開口３５を通して、該取付片部１３内に突出したアンカーボルトのネジ軸部分３９に第２のナット４０を緩く螺合させ、これにより図１２の左側に示す保持部１２と、同じく左側に示す保持片３０との間に、漏水受板の側縁部分２７を遊挿させ得る保持溝２９を形成する。
【００４４】
以下同様の工程を繰り返して、隣り合う連結具で漏水受板を保持させることにより、所要の漏水受樋構造Ａを構成できる。
【００４５】
かかる構成を有する漏水受樋装置１によるときは、壁部の漏水部３８（図３）からの漏水を、左右の側部分が止水された状態にある漏水受板６で受けてこれを導水できる。又前記第２のナット４０を取り外して前記カバー部材９をベース部材７と分離させることにより、前記漏水受板６を取り外すことができ（図７に示すと同じ状態になる）、これによって、壁面３の亀裂発生状態や壁面の剥落状態、導水路における遊離石灰、剥落片等の詰まり状態等を点検できる。必要に応じて壁面等を補修し、又遊離石灰や剥落片等を除去した後、前記と同様の手順によって、ネジ軸部分３９を前記取付片部１３に設けた挿通孔３２に挿通させ且つ第２のナット４０を螺合し締め付けることにより、漏水受板６が再び取り付けられた状態に復旧できる。
【００４６】
この場合、カバー部材９を取り外しても、前記ベース部材７は壁面３に固定されたままであるため、ベース部材７と壁面３との間の止水は確実に保たれている。
【００４７】
図１３は、本発明に係る漏水受樋装置１の他の態様を示すものであり、固定片部１８の剛性を増大させるために、該固定片部１８を角筒状に形成し、その表面部４５に、前記第１のナット３７を締め付け操作するための、例えば円形状の開口４６を設けた構成を有している。かかる漏水受樋装置１におけるその他の構成は前記と同様である。
【００４８】
又図１４〜１５は、前記保持部１２，１２間に形成された収容溝１５の側面４７と、前記角筒状をなす取付片部１３の外側面４９との間に、該漏水受板６の裏面側の側縁で突設した、例えば断面矩形状をなす係合突部５０を嵌め入れる係合空所５１を形成した場合を示すものであり、該係合突部５０と係合空所５１との係合によって、漏水受板６の側縁部分２７の保持状態の安定性向上を図っている。かかる漏水受樋構造におけるその他の構成は前記実施の形態におけると同様である。
【００４９】
又図１６、図１８は、漏水受板６の断熱性を向上させて、導水路５内の水の凍結を防止するために、該漏水受板６の内面側に、例えばスポンジ製の断熱板５２を貼着した場合を示すものである。このように断熱板５２を貼着したときも、壁面３と断熱板５２との間に所要の導水路５を確保できることが必要である。そのための手段としては、前記止水部材１６を厚肉に形成することの他、図１６〜１７に示すように、前記ベース部材７に高さ調節部材５３を重ね合わせることとしたり、図１８〜１９に示すように、ベース部材７を、ベース部材本体７ａに高さ調節片７ｂを重ねたものとして構成してもよい。
【００５０】
図１６〜１７に示す高さ調節部材５３は、前記アンカーボルト２３を挿通させ得る透孔５５が幅方向中央部に並設された板部５６の表側の左右側に位置させて、角筒状をなす高さ調節部５７，５７を設けると共に、前記板部５６の裏面側には、前記左右の保持部１２，１２の内側面５９，５９に当接し得る規制突片６０，６０を突設した構成を有している。
【００５１】
又図１８〜１９に示すベース部材７を構成する前記ベース部材本体７ａは、基板５４の左右に保持部１２，１２を有しており、又前記高さ調節片７ｂは、前記基板５４の裏面側の左右に夫々重ね合わせて設けられる角筒状をなし、その表側部分は、前記基板５４の左右に形成した凹部１７に嵌め入れられる突出部６１とされると共に、その裏側には、止水部材１６を密接に挿入させるための挿入凹部６２が設けられている。
【００５２】
図２０は、本発明に係る漏水受樋装置１のその他の態様を示すものであり、漏水受板６の側縁部分２７を保持する保持溝２９を一条のみ具える態様に関するものであって、図６〜１２に示した端部の第１の連結具４２ａに代えて使用できるものである。そして、そのベース部材７は、ベース基板１１の表面側の一側に、角筒状をなす一つの保持部１２が設けられると共に、該ベース基板１１の、前記保持部１２の裏面側には、止水部材１６を取り付けるための溝状凹部１７が、対向する挾持片６３，６３間で形成されている。又ベース基板１１の他側をなす固定片部１８には、アンカーボルト２３を挿通させる挿通孔２５が貫設されている。一方前記カバー部材９は、前記保持部１２との間で、漏水受板６の側縁部分２７を保持する保持溝２９を形成する保持片３０が、角筒状の取付片部１３の一側に突設されており、該取付片部１３の底部３１には、前記アンカーボルト２３を挿通させる挿通孔３２が設けられると共に、その頂部３３には、第２のナット４０を螺合し締め付け操作するための、例えば円形状をなす開口４６が、カバー部材の長さ方向に所要間隔で設けられた構成を有している。なお本実施の形態においては、前記ベース部材７の表面側の他側に、前記保持部１２よりも小幅の角筒状の取付部６５が設けられており、該取付部６５の頂部外縁６６に、軟質屈曲片６７を介して、前記カバー部材９の他側６９が連設されており、該カバー部材９が開閉可能とされている。
【００５３】
然して、かかる構成を有するベース部材７とカバー部材９とによって、漏水受板６の一方の側縁部分２７を保持するには、前記と同様にして、ベース部材７を、その挿通孔２５を挿通するアンカーボルト２３のネジ軸部３６に第１のナット３７を螺合し締め付けて壁面３に固定し、その後、前記カバー部材９を閉方向に閉じるに伴って、前記取付片部１３に設けられた挿通孔３２に前記ネジ軸部３６を挿通せしめ、且つ前記保持部１２と保持片３０との間に形成された保持溝２９に、漏水受板６の側縁部分２７を嵌入状態として、前記取付片部１３内に突出したネジ軸部分３９に第２のナット４０を螺合し締め付けることにより、漏水受板６の側縁部分２７を保持可能となされている。なお、カバー部材９をベース部材７と独立状態に構成することもある。
【００５４】
図２１〜２２は、例えばずい道の天井部分等に、漏水受板６を上向き状態で取り付け施工する場合、第２のナットを除去してカバー部材９を取り外しても漏水受板６が落下しないように、側縁部分２７の所要部位を前記保持部の先端部分７０にビス７１で固定した場合を示すものである。
【００５５】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００５６】
(1) 前記壁面３に固定されるベース部材７が、前記実施の形態で示したように、その表側の左右或いはその表側の一側に中空状の保持部１２を有する場合、該保持部１２は、前記実施の形態で示したような断面矩形状をなす角筒状に構成されることの他、ベース部材とこれに固定されるカバー部材の間で漏水受板の側縁部分を保持できる限り、断面台形状を呈する等の中空状に構成されることもある。又該保持部は、中実状に構成されることもある。
【００５７】
(2) 前記ベース部材７が、左右の保持部間に収容溝１５を具える場合、前記カバー部材９の取付片部１３は、前記収容溝１５に嵌め入れ可能に構成されることは必ずしも必要ではない。漏水受板の側縁部分を嵌入状態となし得る保持溝を前記保持部１２と協働して形成するための保持片３０を具え、且つアンカーボルト２３を挿通させる挿通孔３２が設けられる限り、例えば図２３に示す平板状に構成されることもある。この場合は、該挿通孔３２から突出した露出状態のネジ軸部分３９に第２のナット４０が螺合され締め付けられる。
【００５８】
(3) 漏水受板６の側縁部分２７を、保持溝２９に嵌入状態とした後、該嵌入部分をコーキング処理して止水を図ることもある。
【００５９】
(4) 又カバー部材９が、ベース部材７の左右の保持部間の収容溝１５に嵌め入れられる取付片部１３を具える場合、該取付片部１３は、例えば図２４に示すように、断面コ字状を呈して開放端７２を有する如く構成されることもある。この場合、該開放端７２は、ネジ軸部３６やこれに螺合する第２のナット４０を覆い隠すために、例えば図２５や図２６に示すように、開放端７２がスライド方式の蓋板７３で閉蓋されることもある。なお該蓋板は、該開放端７２を覆うように押し込まれるものであってもよい。
【００６０】
(5) 図２７〜２８は本発明に係る漏水受樋装置１のその他の態様を示すものであり、前記壁面３に固定されるベース部材７は、左右方向に長い角筒状に形成され且つその内部が左右の仕切り片７５，７５で仕切られており、角筒状をなす左右の保持部１２，１２を具えている。又中央の角筒部７６の底部は、壁面３への固定片部１８とされると共に、該固定片部１８には、その長手中央線に沿って所要間隔で、例えば５０ｃｍ間隔で、アンカーボルト２３を挿通させる挿通孔２５が貫設されている。又前記中央の角筒部７６の頂部７７には、該挿通孔２５と同心に、例えば円形状の開口７９が設けられている。又前記ベース部材７の裏面側には、前記と同様の構成により、止水部材１６を嵌着させるための溝状凹部１７，１７が左右に設けられている。
【００６１】
一方前記カバー部材９は、例えば硬質合成樹脂を以って形成された平板状をなすカバー基板２６の長手中央線に沿って、前記ベース部材の開口７９と位置合わせして、例えば円形状をなす開口８０が設けられており、該開口８０に、別体形成された取付体８１が挿入状態で設けられることによって、取付片部１３が形成されている。該取付体８１は、例えば図２８に示すような有底円筒状を呈しており、その円形状の底部８２の中心に位置させて、前記アンカーボルト２３を挿通させる挿通孔３２が貫設されている。又その開放端８３の周縁部分に、例えば円形鍔状の押圧片８５が周設されている。なお該押圧片８５は、所要間隔を置いて独立的に突設されることもある。
【００６２】
かかる構成の取付体８１は、本実施の形態においては金属製とされ、その肉厚は１〜１．５ｍｍ程度に設定されている。なお該取付体８１は樹脂製とすることもでき、その場合は、肉厚を、２〜２．５ｍｍ程度と比較的厚く形成するのがよい。そして、前記固定片部１８と前記取付体８１の底部８２との間の収容空間３４に、前記ベース部材７を前記壁面３に固定するためのアンカーボルト２３のネジ軸部３６に螺合される第１のナット３７が収容されるものとなされており、該第１のナット３７の螺合は、前記頂部７７の開口７９を通して行ない得るものとなされている。又円筒状をなす前記取付体８１内には、その内部８６に突出したアンカーボルト２３のネジ軸部分３９に螺合する第２のナット４０が納められるものとなされ、該ネジ軸部分３９の全体が取付体８１内に納まるようになされている。又該第２のナット４０の螺合は、前記取付体８１の開放端８３を通して行ない得るものとなされている。
【００６３】
そして該第２のナット４０の締め付けは、前記保持部１２と前記保持片３０との間に形成された保持溝２９に漏水受板６の側縁部分２７を嵌入状態として後に行なわれ、該第２のナット４０の締め付けによって、前記押圧片８５が前記開口８０の周縁部分を裏面側に向けて押圧し、これにより、前記保持片３０と保持部１２との間で前記側縁部分２７を、前記側縁部分に付設された前記弾性止水片５を稍弾性圧縮状態にして挾持できる。
【００６４】
図２９〜３０は、前記取付体８１の他の態様を示すものであり、アンカーボルト２３を挿通させる挿通孔３２が設けられてなる矩形板状の取付片８７とその両端で屈曲形成された側片８９，８９とその先端で外向きに屈曲形成された押圧片９０，９０とを具えている。図３０は、かかる取付体８１を、前記カバー基板２６に設けられた矩形状の開口８０に挿入させ、前記押圧片９０，９０を前記開口８０の周縁部分の外面側９１に当接状態にすることにより、取付片部１３が設けられたカバー部材９を構成することができる。
【００６５】
かかる取付片８７を用いてカバー部材９を構成する場合においても、前記ベース部材７としては、例えば図５に示すと同様に、表面側の左右に保持部１２，１２が設けられ且つ保持部間に収容溝１５が形成されたものとして構成することもできる。なお、取付体８１は、前記カバー基板２６と一体に形成されることもある。
【００６６】
(6) 図３１〜３３は本発明に係る漏水受樋装置１の他の態様を示すものであり、前記ベース部材７を固定する第１のアンカーボルト９１と、前記カバー部材９を固定する第２のアンカーボルト９２とを独立させている。
【００６７】
該第１のアンカーボルト９１は、図３２に示すように、そのネジ軸部９３が、ベース部材７の固定片部１８とカバー部材９の取付片部１３との間の収容空間３４に収容されている。そして、該ネジ軸部９３に第１のナット３７が螺合され締め付けられ、該ナット３７も収容空間３４に収容されている。又前記第２のアンカーボルト９２は、図３３に示すように、ベース部材７の固定片部１８に設けた挿通孔２５と、前記カバー部材９の取付片部１３に設けた挿通孔３２を挿通して表側に突出しており、該突出したネジ軸部９３に第２のナット４０が螺合され締め付けられ、前記ベース部材７が壁面３に固定されている。
【００６８】
図３４〜３５、図３６〜３７、図３８〜３９は、第１のアンカーボルト９１と第２のアンカーボルト９２とを用いてベース部材７とカバー部材９とを固定する他の態様を示すものである。図３４〜３５においては、第１のアンカーボルト９１と第２のアンカーボルト９２を共に、ボルト頭９６，９７を有したアンカーボルトとして構成し、壁部４４に埋設されたインサート９９，１００に螺合され締め付けられている。そして該第１のアンカーボルト９１が締め付けられた状態で、そのボルト頭９６が、固定片部１８と取付片部１３との間の収容空間３４に収容され、該第１のアンカーボルト９１の締め付けによって前記ベース部材７を前記壁面３に固定できる共に、前記第２のアンカーボルト９２の締め付けによって前記カバー部材９を前記ベース部材７に固定可能となされている。
【００６９】
又図３６〜３７は、第１のアンカーボルト９１を、ボルト頭９６を有したアンカーボルトとして構成し、第２のアンカーボルト９２のネジ軸部９３にナット１０１を螺合させるように構成している。そして、該第１のアンカーボルト９１が締め付けられた状態で、そのボルト頭９６が、固定片部１８と取付片部１３との間の収容空間３４に収容され、該第１のアンカーボルト９１の締め付けによって前記ベース部材７を前記壁面３に固定できると共に、前記ナット１０１の締め付けによって前記カバー部材９を前記ベース部材７に固定可能となされている。
【００７０】
図３８〜３９は、これとは逆に、第１のアンカーボルト９１のネジ軸部９３にナット１０２を螺合可能とすると共に、第２のアンカーボルト９２を、ボルト頭９７を有したアンカーボルトとして構成している。そして、該ナット１０２が締め付けられた状態で、該ナット１０２が、固定片部１８と取付片部１３との間の収容空間３４に納められ、該ナット１０２の締め付けによって前記ベース部材７を前記壁面３に固定できる共、前記第２のアンカーボルト９２の締め付けによって前記カバー部材９を前記ベース部材７に固定可能となされている。
【００７１】
本実施の形態に係る発明は、前記のような取付体８１を用いて取付片部１３を形成する場合にも応用できる。又カバー部材９を、図２３に示すような平板状に形成して応用されることもある。
【００７２】
(7) 又該ベース部材において、その表側の左右に設けられる保持部は、左右独立したものとして構成されることは必ずしも必要ではなく、カバー部材の保持片との協働により、漏水受板の側縁部分を嵌入状態となし得る保持溝を形成可能に構成されれば、左右の保持部が、例えば図２８に示すように連結状態とされることもある。
【００７３】
(8) 図４０〜４１、図４２〜４３は、前記ベース部材７の保持部１２と前記カバー部材９の保持片３０との間に形成される保持溝２９に、前記漏水受板６の側縁部分２７を嵌入状態とする際における、該側縁部分２７の位置決めを容易とするために、該側縁部分２７の先端１０３と当接し得る位置決め段部１０５を前記カバー部材９に設けた態様を示すものである。なお図４２〜４３は、第１のアンカーボルトと第２のアンカーボルトとを独立させた場合を示すものであり、同図においては、第２のアンカーボルト９２が示されている。
【００７４】
(9) 前記ベース部材７の裏面側に対する止水部材１６の付設は、前記した嵌着手段によることの他（この場合、例えば図４に示すように、止水部材１６に食い込む爪片を設けることは必ずしも必要ではない）接着手段等によることもできる。
【００７５】
(10)前記各実施の形態においては、ベース部材７が、壁面３に弾性押圧状態となり得る止水部材１６の付設が予定されており、該止水部材１６が付設されたベース部材７を使用した場合が示されているが、該ベース部材７に、かかる止水部材１６の付設が予定されない場合もある。この場合は、該ベース部材７の裏面側が壁面３に直接に当接する。
【００７６】
図４４〜４５は、止水部材１６の付設が基本的には予定されない場合の具体的な実施の形態を示すものであり、全体として不燃性の高い漏水受樋装置１として構成され、ベース部材７とカバー部材９と漏水受板６と蓋部材１１０が金属製、例えばアルミニウム製とされている。
【００７７】
該ベース部材７は、図４４〜４５に示すように、ずい道２ａの壁面３に沿って長く形成されており、固定具１０を用いて該壁面３に固定されるもので、前記壁面３に向けて解放する断面コ字溝状をなす保持部１２，１２の内側の側片１１１，１１１の先端寄り部位相互が、平板状の固定片部１１２で連結され、該保持部１２，１２間に収容溝１５が形成されている。又、該固定片部１１２の両側寄り部位で且つ前記壁面３に対向する側の面（裏面）に、補強用の突条１１３，１１３が壁面３に向けて突設されている。そして、左右の保持部１２，１２の先端１１５，１１５、１１５，１１５と、前記突条１１３，１１３の先端１１６，１１６が同一平面上に存し、これらの先端１１５，１１６が、図４５に示すように前記壁面３に当接可能となされている。又、前記固定片部１１２の長手中央線に沿って、所要間隔で、例えば５０ｃｍ程度の間隔で、前記壁面３で突設されたアンカーボルト２３を挿通させる挿通孔１１７が貫設されている。
【００７８】
又前記カバー部材９は、図４４〜４５に示すように、前記ベース部材７の幅寸法に略等しい幅寸法を有した平板状をなすカバー基板１１９の裏面の長手中央線に沿って、前記左右の保持部１２，１２間に形成された前記収容溝１５に先側部分１３ａが嵌め入れられる中空状、例えば角筒状をなす取付片部１３が突設されており、該取付片部１３の左右に存する部分は、前記左右の保持部１２，１２との間で前記漏水受板６の側縁部分２７，２７を嵌入状態となし得る保持溝２９，２９を形成する保持片３０，３０とされている。又、該角筒状をなす取付片部１３の底部１２０には、前記アンカーボルト２３を挿通させる挿通孔１２１が貫設されると共に、該取付片部１３の頂部１２２には、前記挿通孔１２１と同心に、例えば円形状の開口１２３が設けられている。
【００７９】
そして、前記固定片部１１２と前記底部１２０との間に、突出したアンカーボルト２３のネジ軸部３６に第１の座金部材１２５を介在させて螺合せしめられる第１のナット３７を収容する収容空間３４が形成されている。なお該第１のナット３７は、前記アンカーボルト２３との協働によって前記固定具１０を構成する。又、角筒状をなす前記取付片部１３は、内部空間としての収容部３８を有し、該収容部３８内には、突出したアンカーボルト２３のネジ軸部分３９に第２の座金部材１２６を介在させて螺合する第２のナット４０が収容される。本実施の形態においては、該ネジ軸部分３９の全体が前記収容部３８に納まる。又該第２のナット４０の螺合及び締め付けは、前記開口１２３を通して行い得る。
【００８０】
なお前記第１の座金部材１２５は、その裏面側に、前記固定片部１１２に設けた前記挿通孔１１７からの水漏れを防止するために、ゴム製等の止水パッキン１２７が付設されている。
【００８１】
本実施の形態において、前記円形状の開口１２３を、円板状をなすスライド式の前記蓋部材１１０で閉蓋することとしている。該蓋部材１１０は、図４４〜４６に示すように、前記開口１２３を外側から覆う円板状蓋片１２９の裏面に、横長で且つ先端が円弧状に形成されたバネ性係止片１３０を、該円板状蓋片１２９の中央部において、リベット１３１を用いて一体化してなり、該バネ性係止片１３０が前記円板状蓋片１２９に略重なるようになされている。そして、該バネ性係止片１３０と円板状蓋片１２９との間が、前記開口１２３の縁部分１３３を挿入させるための挾持溝１３２とされている。
【００８２】
かかる構成を有する漏水受樋装置１を用いて構成された漏水受樋構造Ａの施工要領を次に説明する。
【００８３】
図４５、図４７は、前記構成を有するベース部材７とカバー部材９とからなる連結具４２を用いて漏水受板６を順次連結することにより構成した漏水受樋構造Ａの一部分を示す断面図である。全てのベース部材７は、その裏面側（前記先端１１５，１１６）が前記壁面３に当接せしめられ、該壁面３に打ち込まれたアンカーボルト２３が、前記固定片部１１２に設けられた挿通孔１１７に挿通せしめられると共に、前記第１の座金部材１２５を介在させて、第１のナット３７が前記アンカーボルト２３のネジ軸部３６に螺合され締め付けられている。これにより前記止水パッキン１２７が圧縮状態になって、前記挿通孔１１７からの漏水が防止されている。そして、前記取付片部１３の左右に存する保持片３０，３０と前記左右の保持部１２，１２との間に形成された保持溝２９，２９に、漏水受板６の側縁部分２７，２７が嵌入状態とされており、この状態で、前記収容部３８に納まるネジ軸部分３９に、前記第２の座金部材１２６を介して第２のナット４０が螺合され締め付けられている。該第２のナット４０の螺合及び締め付けは、前記開口１２３を通して行われる。
【００８４】
本実施の形態においては、該第２のナット４０の螺合及び締め付けを完了した後、前記開口１２３を前記蓋部材１１０で閉蓋する。この閉蓋要領は、図４８に示すように、該蓋部材１１０に設けられた一方の挾持溝１３２ａに前記開口の周縁部分１３３を挿入状態として後、図４８に示す右方向（矢印Ｆ１方向）に蓋部材１１０を移動させ、該挾持溝１３２ａに周縁部分１３３ａが深く挿入された状態とする。これによって、他方の挾持溝１３２ｂの先端開口１３５が、前記開口１２３の反対側の周縁部分１３３ｂと向き合う状態となる。その後、該蓋部材１１０を図４８に示す左方向（矢印Ｆ２方向）に移動させて、該反対側の周縁部分１３３ｂを、図４５に示すように他方の挾持溝１３２ｂに挿入状態とする。これにより、両挾持溝１３２ａ，１３２ｂで、開口１２３の周縁部分１３３が弾性挾持された状態となって、蓋部材１１０が開口１２３を安定的に閉蓋した状態が得られる。
【００８５】
そして、端部に位置するベース部材７ａに関しては、図４７に示すように、保持部１２，１２の凹所１３６に収容した弾性止水材１６を、前記第１のナット３７の締め付けにより前記壁面３に弾性押圧状態にして、壁面３とベース部材７ａとの間を止水し、端部のベース部材７ａからの漏水を防止する。或いは図４９に示すように、外端に位置する保持部１２と壁面３とがなす出隅部分１３７に、エポキシ系の樹脂等からなる止水材１３９を配置して、端部のベース部材７ａからの漏水を防止する。なお、前記第２のナット４０の締め付けを確実に行うために、外端に位置する保持溝２９に弾性間隔保持材１４０を嵌入させるのがよい。
【００８６】
このように構成された漏水受樋構造Ａによるときは、中間のベース部材７ｂと壁面３との当接部分１４１は水が通過できても、端部のベース部材７ａと壁面３との間は止水されると共に、前記第１のナット３７の裏面に設けた止水パッキン１２７（図４５）によって前記挿通孔１１７からの漏水が防止される。しかも、漏水受板６の側縁部分に設けられた弾性止水片５の弾性圧縮によって、前記保持溝２９における漏水が防止されているため、前記漏水受板６と前記壁面３との間で形成された、導水路４に受けられた壁面からの漏水を、水漏れを生じさせることなく導水処理できる。
【００８７】
そして本実施の形態においては、前記ベース部材７とカバー部材９と漏水受板６と蓋部材１１０がアルミニウム等の金属製であるため、漏水受樋構造の良好な不燃性を確保できる。
【００８８】
図５０〜５１は、不燃性を高めた漏水受樋装置１の他の態様を示すものであり、前記と相違するのは、ベース部材７の左右に存する保持部１２，１２を角筒状に構成し、該ベース部材７の裏面側の左右部分に突設された突条１４３，１４３、１４３，１４３の先端を前記壁面３に当接させる点である。
【００８９】
この場合、端部に位置するベース部材７ａにあっては、図５１に示すように、前記両側に位置する突条間に前記止水部材１４５，１４５を嵌め入れ、前記第１のナット３７の締め付けにより、該止水部材１４５，１４５を弾性圧縮状態で前記壁面３に密接させることによって、漏水を防止できる。或いは、図４９に示すと同様にして、外端に位置する保持部と壁面とがなす出隅部分に、エポキシ系の樹脂等からなる止水材を配置することとしてもよい。
【００９０】
ベース部材７を、止水部材を介在させないで壁面３に直接固定する場合、前記実施の形態においては、不燃性を考慮してベース部材７等を金属製としたが、該ベース部材等を樹脂製とすることもある。
【００９１】
図５２は、例えばずい道の天井部分等に、漏水受板６を上向き状態で取り付ける場合、第２のナット４０を除去してカバー部材９を取り外したときに該漏水受板６が落下しないようにするため、側縁部分２７を前記保持部１２の先端部分の肉厚部１４６にビス１４７で固定した状態を示すものである。
【００９２】
【発明の効果】
本発明は以下の如き優れた効果を奏する。
(1) 本発明によるときは、ベース部材を取り外すことなく、該ベース部材に固定されているカバー部材の取り外しによって漏水受板を壁面から取り外すことができる。
従って本発明によるときは、構造物のコンクリート壁部の漏水部の亀裂発生状態や剥落状態等の点検、又、漏水受板によって形成された導水路における遊離石灰や剥離片等の詰まり状態を確認する際、又、壁面補修や、導水部内に詰まったものの除去作業等において、部分的な取り外し施工だけで、点検や補修を行なうことができる。又復旧に際しても、ベース部材を所要に位置決めして壁面に固定しなければならなかったり、更に、所要の止水処理を施してベース部材を壁面に固定しなければならないといった、面倒で手間のかかる従来のような部材位置決め固定施工を何ら必要とせず、壁面に固定されているベース部材をそのまま利用してカバー部材を取り付けるという簡単な施工で済むため、漏水受板を壁面に施工能率よく取り付け得る利点がある。
かかることから本発明によるときは、従来に比して施工能率の向上と工期短縮を達成できるだけでなく、壁面に固定されたままのベース部材は元より、カバー部材もそのまま再利用できることから、施工コストの低減を期し得る。
【００９３】
(2) 又本発明によるときは、漏水受板の取り外し及び再取り付けを、能率よくコスト低減を図って、然も工期を短縮して行ない得ることから、コンクリート壁部の漏水部の点検を、従来のように点検口における確認だけに止まることなく広い範囲で行なうことも容易であり、補修が必要であれば所要の補修を施すことができる。然も復旧工事も容易となることから、従来に比して点検作業を行ないやすくなり、良好な導水を永続させることができる。
【００９４】
(3) 前記ベース部材の収容溝の内側面と前記中空状をなす取付片部の外側面との間に、前記漏水受板の側縁に突設した係合突部を嵌め入れる係合空所を形成するときは、該係合突部と係合空所との係合によって、漏水受板の取り付けの安定性を一層向上させ得る。
【００９５】
(4) ベース部材に設けられている保持部の先端部分を、該先端部分に当てがわれた漏水受板の側縁部分を該先端部分にビス固定するためのビス保持部を有するものとして構成するときは、本発明を例えば、ずい道等の構造物の天井部分の施工に応用した場合、カバー部材を取り外しても漏水受板が外れないため、導水路に詰まっていた剥落片や遊離石灰等の固まりが、漏水受板が外れると同時に一挙に落下するといった危険がなく、その後におけるビスの取り外しによって漏水受板を、その端部から順次安全に取り外すことが可能となる。
【００９６】
(5) 前記ベース部材に設けられた保持部の先端部分に、該先端部分に当てがわれた漏水受板の側縁部分の端面と当接し得る位置決め段部を設ける構成を採用する場合は、漏水受板の側縁部分を前記保持溝に嵌入状態とする際における該側縁部分の嵌入量の設定が容易となる。
【００９７】
(6) 第２のナットを締め付ける前は、カバー部材の取付片部が、螺締状態にある第１のナットから離れた状態とすることにより、該第２のナットを締め付けたときに、カバー部材の有する保持片が、保持溝に嵌入状態にある漏水受板の側縁部分を保持部に向けて押圧する如くなし得る。その結果、該側縁部分に弾性止水片が設けられることにより、該弾性止水片を稍弾性圧縮状態にして、該側縁部分を前記保持溝で強固に且つ水密を確保して固定できる利点がある。
【図面の簡単な説明】
【図１】  本発明に係る漏水受樋装置を用いて構成したずい道の漏水受樋構造を示す断面図である。
【図２】  その部分斜視図である。
【図３】  その部分断面図である。
【図４】  その部分拡大断面図である。
【図５】  本発明に係る漏水受樋装置を説明する分解斜視図である。
【図６】  漏水受樋構造を構成するために、第１、第２のベース部材を壁面に位置決めした状態を示す断面図である。
【図７】  両ベース部材を壁面に固定した状態を示す断面図である。
【図８】  漏水受板の側縁部分を、左右の保持溝に仮保持させた状態を示す断面図である。
【図９】  漏水受板の右側の側縁部分を第１の保持溝に所要に保持させた状態を示す断面図である。
【図１０】  第３のベース部材を、第２のベース部材と所要間隔をおいて壁面に固定した状態を示す断面図である。
【図１１】  第２の漏水受板の左右の側縁部分を、第２、第３の保持溝に仮保持させた状態を示す断面図である。
【図１２】  第２の漏水受板の右側の側縁部分を、第２の保持溝に所要に保持させた状態を示す断面図である。
【図１３】  固定片部を角筒状に形成してなる漏水受樋装置をその使用状態で示す断面図である。
【図１４】  漏水受板の側縁に係合突部が突設されてなる漏水受樋装置をその使用状態で示す断面図である。
【図１５】  その主要構成部材を示す斜視図である。
【図１６】  高さ調節部材を介在させて構成した漏水受樋装置をその使用状態で示す断面図である。
【図１７】  その主要構成部材を示す斜視図である。
【図１８】  高さ調節片を重ね合わせて構成したベース部材を具える漏水受樋装置をその使用状態で示す断面図である。
【図１９】  その主要構成部材を示す斜視図である。
【図２０】  １条の保持溝を具える漏水受樋装置をその使用状態で示す断面図である。
【図２１】  漏水受板の側縁部分を保持部の先端部分にビス固定した状態を示す断面図である。
【図２２】  ビス固定後にカバー部材を固定した状態を示す断面図である。
【図２３】  カバー部材を平板状に構成した漏水受樋装置をその使用状態で示す断面図である。
【図２４】  取付片部を断面コ字状に形成してなるカバー部材を具えた漏水受樋装置をその使用状態で示す断面図である。
【図２５】  断面コ字状を呈する取付片部の開放端を蓋板で閉蓋した状態を示す断面図である。
【図２６】  断面コ字状を呈する取付片部の開放端を蓋板で閉蓋した他の態様を示す断面図である。
【図２７】  カバー部材の取付片部を別体の取付体を付設して構成した漏水受樋装置をその使用状態で示す断面図である。
【図２８】  カバー部材の取付片部を別体の取付体を付設して構成した漏水受樋装置を示す分解斜視図である。
【図２９】  カバー部材の取付片部を別体の取付体を付設して構成した漏水受樋装置のその他の態様を説明する分解斜視図である。
【図３０】  その使用状態を示す断面図である。
【図３１】  ベース部材を固定するアンカーボルトとカバー部材を固定するアンカーボルトとを独立的に構成した漏水受樋装置を示す分解斜視図である。
【図３２】  その漏水受樋装置の使用状態を第１のアンカーボルトの位置で示す断面図である。
【図３３】  その漏水受樋装置の使用状態を第２のアンカーボルトの位置で示す断面図である。
【図３４】  ベース部材を固定するアンカーボルトとカバー部材を固定するアンカーボルトとを独立的に構成した漏水受樋装置の他の態様の使用状態を第１のアンカーボルトの位置で示す断面図である。
【図３５】  その漏水受樋装置の使用状態を第２のアンカーボルトの位置で示す断面図である。
【図３６】  ベース部材を固定するアンカーボルトとカバー部材を固定するアンカーボルトとを独立的に構成した漏水受樋装置のその他の態様の使用状態を、第１のアンカーボルトの位置で示す断面図である。
【図３７】  その漏水受樋装置の使用状態を第２のアンカーボルトの位置で示す断面図である。
【図３８】  ベース部材を固定するアンカーボルトとカバー部材を固定するアンカーボルトとを独立的に構成した漏水受樋装置のその他の態様の使用状態を、第１のアンカーボルトの位置で示す断面図である。
【図３９】  その漏水受樋装置の使用状態を第２のアンカーボルトの位置で示す断面図である。
【図４０】  漏水受板の側縁部分の端面と当接し得る位置決め段部が設けられたカバー部材を具える漏水受樋装置をその使用状態で示す断面図である。
【図４１】  その部分拡大図である。
【図４２】  漏水受板の側縁部分の端面と当接し得る位置決め段部が設けられたカバー部材を具える漏水受樋装置の他の態様をその使用状態で示す断面図である。
【図４３】  その部分拡大図である。
【図４４】  本発明に係る漏水受樋装置のその他の態様を示す分解斜視図である。
【図４５】  その使用状態を示す断面図である。
【図４６】  蓋部材を示す斜視図である。
【図４７】  図４４に示す漏水受樋装置を用いて構成された漏水受樋構造を示す断面図である。
【図４８】  蓋部材の閉蓋作業工程を説明する断面図である。
【図４９】  不燃性が高められた漏水受樋構造の端部に位置するベース部材の漏水処理手段を説明する断面図である。
【図５０】  本発明に係る漏水受樋装置の他の態様をその使用状態で示す断面図である。
【図５１】  図５０に示す漏水受樋装置を用いて構成された漏水受樋構造を示す断面図である。
【図５２】  漏水受板を保持部の先端部分にビス固定した状態を示す断面図である。
【図５３】  従来の漏水受樋装置の問題点を説明する断面図である。
【符号の説明】
１  漏水受樋装置
２  構造物
３  壁面
４  導水路
５  弾性止水片
６  漏水受板
７  ベース部材
９  カバー部材
１２  保持部
１３  取付片部
１５  収容溝
１６  止水部材
２３  アンカーボルト
２５  挿通孔
２７  漏水受板の側縁部分
２９  保持溝
３０  保持片
３１  取付片部の底部
３２  挿通孔
３３  取付片部の頂部
３５  開口
３６  ネジ軸部
３７  第１のナット
３８  収容部
３９  ネジ軸部分
４０  第２のナット
４２ａ  第１の連結具
４２ｂ  第２の連結具
４２ｃ  第３の連結具
５０  係合突部
５１  係合空所
５３  高さ調節部材
９１  第１のアンカーボルト
９２  第２のアンカーボルト
９６  ボルト頭
９７  ボルト頭
１０１  ナット
１０２  ナット
１０５  位置決め段部
【図１】
0003820211.tif 000002
【図２】
0003820211.tif 000003
【図３】
0003820211.tif 000004
【図４】
0003820211.tif 000005
【図５】
0003820211.tif 000006
【図６】
0003820211.tif 000007
【図７】
0003820211.tif 000008
【図８】
0003820211.tif 000009
【図９】
0003820211.tif 000010
【図１０】
0003820211.tif 000011
【図１１】
0003820211.tif 000012
【図１２】
0003820211.tif 000013
【図１３】
0003820211.tif 000014
【図１４】
0003820211.tif 000015
【図１５】
0003820211.tif 000016
【図１６】
0003820211.tif 000017
【図１７】
0003820211.tif 000018
【図１８】
0003820211.tif 000019
【図１９】
0003820211.tif 000020
【図２０】
0003820211.tif 000021
【図２１】
0003820211.tif 000022
【図２２】
0003820211.tif 000023
【図２３】
0003820211.tif 000024
【図２４】
0003820211.tif 000025
【図２５】
0003820211.tif 000026
【図２６】
0003820211.tif 000027
【図２７】
0003820211.tif 000028
【図２８】
0003820211.tif 000029
【図２９】
0003820211.tif 000030
【図３０】
0003820211.tif 000031
【図３１】
0003820211.tif 000032
【図３２】
0003820211.tif 000033
【図３３】
0003820211.tif 000034
【図３４】
0003820211.tif 000035
【図３５】
0003820211.tif 000036
【図３６】
0003820211.tif 000037
【図３７】
0003820211.tif 000038
【図３８】
0003820211.tif 000039
【図３９】
0003820211.tif 000040
【図４０】
0003820211.tif 000041
【図４１】
0003820211.tif 000042
【図４２】
0003820211.tif 000043
【図４３】
0003820211.tif 000044
【図４４】
0003820211.tif 000045
【図４５】
0003820211.tif 000046
【図４６】
0003820211.tif 000047
【図４７】
0003820211.tif 000048
【図４８】
0003820211.tif 000049
【図４９】
0003820211.tif 000050
【図５０】
0003820211.tif 000051
【図５１】
0003820211.tif 000052
【図５２】
0003820211.tif 000053
【図５３】
0003820211.tif 000054